(57)【特許請求の範囲】
【請求項１】
少なくともキャップフィルム、バックフィルムを備えた気泡シートであって、
前記キャップフィルムが、突起の頂部に形成されたバキューム跡を有するとともに、前記バキューム跡の外側に略真円形線状模様を有し、
前記バキューム跡が１本以上の互いに交錯しない直線状のものであり、そのバキューム跡の一端が前記略真円形線状模様から始まっており、当該バキューム跡が突起の頂部における中心を通る気泡シート。
【請求項２】
前記直線状のバキューム跡の少なくとも一本の長さは、前記略真円形線状模様の半径よりも長いことを特徴とする請求項１記載の気泡シート。
【請求項３】
気泡シート製造用の真空成形ロールのキャビティの底部に設けられるバキュームプラグであって、
前記キャビティの底壁を構成するプラグ本体と、このプラグ本体に穿たれた一個以上のバキューム孔とを備えたものであり、前記バキューム孔がプラグ本体の外周から切り込まれ該プラグ本体の中心を通る直線状のスリットであることを特徴とするバキュームプラグ。
【請求項４】
気泡シート製造用の真空成形ロールのキャビティの底部に設けられるバキュームプラグであって、
前記キャビティの底壁を構成するプラグ本体と、このプラグ本体に穿たれた一個以上のバキューム孔とを備えたものであり、前記バキューム孔は前記プラグ本体の外周から切り込まれ前記プラグ本体の中心を通る１本以上の互いに交錯しない直線状のスリットであり、当該スリットの長さは前記プラグ本体の半径の長さよりも長いことを特徴とするバキュームプラグ。
【発明の詳細な説明】
【技術分野】
【０００１】
本発明は、気泡シート及び当該気泡シートを製造する真空成形ロールに適用されるバキュームプラグに関するものである。
【背景技術】
【０００２】
従来、キャップ状の突起を多数設けたキャップフィルムと、平坦なバックフィルムとを貼り合わせてなる気泡シートが緩衝包装材や断熱材等として広く使用されている。当該気泡シートは通常、以下のような手順にて製造される。
【０００３】
まず、キャップフィルム用ダイスから熱可塑化状態で逐次供給されるキャップフィルム用素材を真空排気装置に接続された真空成形ロールに送り出す。この真空成形ロールの外周面には、気泡成形用のキャビティすなわち突起が多数個凹設されており、真空吸引によりキャビティの形状に対応した多数のキャップ状の突起を有したキャップフィルムを連続的に形成する。一方、バックフィルム用ダイスから熱可塑化状態で逐次供給されるバックフィルム用素材を加圧ロールにより前記キャップフィルムに押し付ける。これにより、キャップフィルムの裏面にバックフィルムが順次貼り合わされ、二層構造をなす気泡シートを連続的に成形される。
【０００４】
そして近年、気泡シートの品質を向上させるべく、特許文献１に記載のものでは、巾方向全域においてフィルムの厚みの偏りを無くすことで、従来よりも高い緩衝力を有する気泡シートを提供している。同文献では、両側から吸引される真空成形ロールの巾方向中央部領域と端部領域とで生じ得るキャビティに対する吸引力の差を補正して均一なものとすることで、気泡シートにおける各突起の厚みを均等なものとする技術が具体的に開示されている。
【先行技術文献】
【特許文献】
【０００５】
【特許文献１】特開２００７−２８３４４３号公報
【発明の概要】
【発明が解決しようとする課題】
【０００６】
しかしながら、今後のさらなる生産性の向上を図るべく真空成形ロールの回転速度を高速として成形スピードを上げると、通常の成形スピードではみられなかった品質のバラツキ、具体的には個々の突起の肉厚にバラツキが生じてしまう不具合を招来してしまうことが分かった。このような不具合は、成形速度を上げていくと個々の突起の成形速度に差が生じ、この差が大きくなると成形が速い箇所が遅い箇所の肉厚を奪ってしまうという現象に起因していると考えられる。その結果、成形された気泡シートにおける個々の突起の肉厚にバラツキが生じ、緩衝力にもばらつきが出て均一な品質をもつ気泡シートは得られなかった。特に上述した不具合は、突起の容積が大きいものであればある程顕著に現れる傾向がみられる。
【０００７】
本発明は、このような不具合に着目したものであり、高い緩衝性能を有する気泡シート、及び、成形スピードを高めても当該気泡シートの製造を実現し得る真空成形ロールを構成するバキュームプラグを提供することを目的としている。
【課題を解決するための手段】
【０００８】
本発明は、このような目的を達成するために、次のような手段を講じたものである。すなわち本発明に係る気泡シートは、少なくともキャップフィルム、バックフィルムを備えた気泡シートであって、前記キャップフィルムが、突起の頂部における中心と一部が重なるように形成されたバキューム跡を有するとともに、前記バキューム跡の外側に略真円形線状模様を有し、前記バキューム跡が１本以上の互いに交錯しない直線状のものであり、そのバキューム跡の一端が前記略真円形線状模様から始まっており、当該バキューム跡が突起の頂部における中心を通ることを特徴とする。
【００１０】
すなわち本願発明者は、気泡シートの製造工程における吸引時の管路抵抗を減らすことで、個々の突起の強度のバラツキを無くし、且つ突起の成形スピードを速めることで気泡シートの成形スピードを速めて生産性を高めても品質が高い気泡シートが得られることを初めて見出した。具体的には、キャビティから真空吸引される際、キャビティに接続する下穴の真上である中心付近から吸引が行われることにより吸引時の管路抵抗が有効に減じられる。そしてこのように成形された気泡シートにはもれなく、上述の通り突起の頂部における中心又はその付近にバキューム跡が形成されることから、本発明がなされたものである。
【００１１】
このようなものであれば、製造時の突起成形が各突起とも速やかになされた状態で製造されているため、巾方向の位置に拘わらず高い緩衝力を有する気泡シートを提供することができる。
【００１２】
加えて、突起の成形が速やかに行われているので、キャップフィルムが、バキューム跡の外側に略真円形線状模様を有するという特徴も有する。すなわちキャップフィルムに上記バキューム跡と併せてこの略真円形線状模様が形成されるという事は、後に説明する本発明に係るバキュームプラグを用いている旨の証左であると解されるからである。
【００１３】
その上、突起成形時の真空吸引がよりスムーズに行われているので、バキューム跡が１本以上の互いに交錯しない直線状であり、そのバキューム跡の一端が略真円形線状模様から始まっているという特徴も有する。
【００１４】
ここで「略真円形線状」とは、真円は勿論含まれる。加えて真円のみならず、楕円、その他の種々の形状を含む概念である。
【００１５】
加えて直線状のバキューム跡の少なくとも１本の長さは、略真円形線状模様の半径よりも長いものであれば、突起成形時の真空吸引がより確実に行われていることの証左であると考えられるため、より望ましい。
【００１６】
そして、上述した特徴を有する気泡シートの提供を実現し得る本発明に係るバキュームプラグは、気泡シート製造用の真空成形ロールのキャビティの底部に設けられるバキュームプラグであって、前記キャビティの底壁を構成するプラグ本体と、このプラグ本体に穿たれた一個以上のバキューム孔とを備えたものであり、前記バキューム孔がプラグ本体の外周から切り込まれ該プラグ本体の中心を通る直線状のスリットであることを特徴とする。
【００１７】
ここで、「バキューム孔」とはプラグ本体に形成された閉鎖形状をなす開口に限られない、すなわちキャビティの底部に孔を形成し得るものであれば、プラグ本体に形成された外周に開放されたスリットや切欠といったものも勿論含まれる。
【００１８】
このようなものであれば、既存の気泡シート製造用設備に大きな変更を来たすことなく、上述した効果を得ることができる。すなわち、気泡シートの製造工程における吸引時の管路抵抗を減らすことで、個々の突起の強度のバラツキを無くし、且つ突起の成形スピードを速めることで気泡シートの成形スピードを速めて生産性を高めても品質が高い気泡シートを提供することができる。
【００１９】
加えて、個々の突起の成形スピードをより速めることにより気泡シートの厚みのバラツキをより有効に抑え得る本発明に係るバキュームプラグは、気泡シート製造用の真空成形ロールのキャビティの底部に設けられるバキュームプラグであって、前記キャビティの底壁を構成するプラグ本体と、このプラグ本体に穿たれた一個以上のバキューム孔とを備えたものであり、前記バキューム孔は前記プラグ本体の外周から切り込まれ前記プラグ本体の中心を通る１本以上の互いに交錯しない直線状のスリットであり、当該スリットの長さは前記プラグ本体の半径の長さよりも長いことを特徴とする。
【００２０】
このように、プラグ本体にその中心付近に向けて一本、又は互いに交錯しない複数本のスリットを設けることにより下穴の真上まで達するスリットとすることができ、下穴による真空吸引時の管路抵抗を有効に減少させることができるので、個々の突起の成形スピードをより速めることにより気泡シートの厚みのバラツキをより有効に抑えることができる。その結果本発明によれば、全域に亘って高い緩衝性能を得ることができる気泡シートを提供することができる。
【発明の効果】
【００２１】
本発明によれば、全域に亘って高い緩衝性能を得ることができる気泡シート、及び、当該気泡シートの製造を実現し得る真空成形ロールを構成するバキュームプラグを提供することができる。
【図面の簡単な説明】
【００２２】
【図１】本発明の一実施形態に係る外観図。
【図２】同実施形態に係る真空成形ロールを備えた成形機を模式的に示す図。
【図３】同実施形態に係る真空成形ロールを模式的に示す正面図。
【図４】図３に係る要部拡大断面を模式的に示す図。
【図５】同実施形態に係る突起及びバキュームプラグを模式的に示す図。
【図６】本発明と類似の効果を奏する参考例に係る突起及びバキュームプラグを示す図。
【図７】同上。
【図８】同上。
【図９】本発明の実施例を説明するための図。
【図１０】同実施例に対応した比較例を模式的に示す図。
【図１１】本発明の実施例を説明するための図。
【発明を実施するための形態】
【００２３】
以下、本発明の一実施の形態について図面を参照して説明する。
【００２４】
本実施形態に係る気泡シート１は、例えば図１に示すように、キャップ状をなす突起４が形成されたキャップフィルム３及びバックフィルム２を備えた、所謂二層状の気泡シート１である。しかし勿論、キャップ状をなす突起４の頂部４０にさらにライナーフィルムといった別異のフィルムを備えたものであっても良い。同図に示すように本実施形態に係る気泡シート１はパターンにより模式的に図示しているように、キャップフィルム３によって形成される各突起４の頂部４０に、略真円形状模様４５やバキューム跡４１が形成されてなる。
【００２５】
すなわち、本実施し形態に係る気泡シート１は、キャップフィルム３が、突起４の頂部４０における中心を通る直線状のバキューム跡４１を有することを特徴とする。以下、当該気泡シート１の構成並びに当該気泡シート１を製造する設備や手順について説明する。
【００２６】
本実施形態に係る気泡シート１製造用の真空成形ロールＲは、図１に示す気泡シート成形機の一部を構成するものであり、図２及び図３に示すように、円筒状のロール本体Ｒ１と、ロール本体Ｒ１を貫通するように設けた回転軸Ｒ２と、バネ等の付勢手段ＲＳによってロール本体Ｒ１に向かって付勢され且つ一定の圧力でロール本体Ｒ１の両端にそれぞれ添接する一対のサイドプレートＲ３とを備えたものである。なお、回転軸Ｒ２は、図示しない軸受けに支持されている。
【００２７】
ロール本体Ｒ１は、外周面に多数個凹設されたキャビティＲ１１と、ロール本体Ｒ１の一端から他端に亘って形成され両端を開口させた複数の吸引用横孔Ｒ１２と、各キャビティＲ１１の底壁に設けられそれらのキャビティＲ１１をそれぞれ対応する吸引用横孔Ｒ１２に連通させる下穴Ｒ１３とを具備したものである。
【００２８】
各キャビティＲ１１は、図４等に示すように、断面視略台形状をなすものであり、本実施形態では、このようなキャビティＲ１１をロール本体Ｒ１の外周面に千鳥状に設けている。このキャビティＲ１１は、本実施形態ではロール本体Ｒ１に穿った開口であるキャビティ本体Ｒ１１ａと、このキャビティ本体Ｒ１１ａに組み付けるバキュームプラグ５とを有している。バキュームプラグ５は、例えばジュラルミンといった金属素材から形成した薄板状、具体的には略円盤状をなすものであり、キャビティ本体Ｒ１１ａの底部に嵌合する形状を有する。当該バキュームプラグ５の具体的な形状並びに形状については後に詳述する。
【００２９】
各吸引用横孔Ｒ１２は、アキシャル孔とも称される通り、ロール本体Ｒ１の軸心方向に沿って延伸する略直線状のものであり、これら複数の吸引用横孔Ｒ１２を、ロール本体Ｒ１の周方向に沿って所定ピッチ離間させて設けている。本実施形態では、これら各吸引用横孔Ｒ１２の両端を真空排気装置Ｖに接続し得るように構成している。
【００３０】
下穴Ｒ１３は、図３に示すように、キャビティＲ１１からロール本体Ｒ１の軸心に向かって延伸し且つ吸引用横孔Ｒ１２に連通するものである。本実施形態では、図４に示すように、ロール本体Ｒ１の周方向に沿って隣接する複数列のキャビティＲ１１から延伸する下穴Ｒ１３が共通の吸引用横孔Ｒ１２に連通するようにしている。そしてこの下穴Ｒ１３は、本実施形態では各キャビティＲ１１の平面視略中心付近において略真円状に開口した形状をなす。
【００３１】
サイドプレートＲ３は、図２に示すように、真空排気装置Ｖに通じる真空用ポートＲ３１（いわゆる「バキュームゾーン」）と、大気に通じる大気圧用ポートＲ３２とを備えている。そして、真空成形ロールＲの回動時に、ロール本体Ｒ１の軸心方向に沿って真空用ポートＲ３１と連通する位置に来た複数の吸引用横孔Ｒ１２が真空用ポートＲ３１を介して真空排気装置Ｖに接続され、真空吸引されるようにしている。本実施形態の真空成形ロールＲは、各吸引用横孔Ｒ１２の両端をそれぞれ対応するサイドプレートＲ３の真空用ポートＲ３１を介して真空排気装置Ｖに接続し得るように構成している。
【００３２】
なお、回転軸Ｒ２を中空とし、この中空を利用してロール本体Ｒ１を内部から冷却する熱媒体を循環させ得るようにしている。
【００３３】
次に、このような真空成形ロールＲを備えた気泡シート成形機を用いて気泡シート１を製造する手順について図１等を参照して説明する。
【００３４】
先ず、キャップフィルム用ダイスＤ３から熱可塑化状態にある膜状のキャップフィルム用素材Ｓ３が回転する真空成形ロールＲに逐次供給され、真空排気装置Ｖに接続された真空成形ロールＲの真空吸引作用によりキャビティＲ１１の形状に対応した多数の突起４を有したキャップフィルム３を連続的に形成する。一方、バックフィルム用ダイスＤ２から熱可塑化状態にある膜状のバックフィルム用素材Ｓ２が真空成形ロールＲに逐次供給され、加圧ロールＲＡにより当該バックフィルム用素材Ｓ２をキャップフィルム３の裏面側に押し付けて貼り合わせる。これにより、キャップフィルム３とバックフィルム２とからなり多数の気泡すなわち突起４を有する二層構造の気泡シート１が成形され、その後、剥離ロールＲＢにより真空成形ロールＲから剥離され、ピンチロールＲＣへと移行し、所定の工程（切断工程等）を経て完成品となる。
【００３５】
しかして本実施形態に係るバキュームプラグ５は、真空成形ロールＲのキャビティＲ１１の底部に設けられる円盤状のものであって、バキューム孔５１の少なくとも一部がプラグ本体５０の中心を通ることを特徴とする。なお本実施形態においてバキュームプラグ５の形状のあくまで一例として「円盤状」としているが勿論、バキュームプラグ５の形状はキャビティ本体Ｒ１１ａに隙間無く嵌り得る平面形状であり且つキャビティＲ１１を形成し得る内面側が平坦に形成されていれば厳密な円盤状には限られない。以下、バキュームプラグ５の構成及び当該バキュームプラグ５の適用によって形成される気泡シート１の突起４について図５に示して説明する。
【００３６】
バキュームプラグ５は、キャビティＲ１１の底壁を構成するプラグ本体５０と、このプラグ本体５０に穿たれたバキューム孔５１とを備えたものである。このバキューム孔５１はプラグ本体５０の外周５５からプラグ本体５０の中心を通る１本の直線状のスリット５２であり、当該直線状のスリット５２の長さＬ５２はプラグ本体５０の半径Ｒ５０よりも長く形成されている。すなわちこのバキューム孔５１である直線状のスリット５２はプラグ本体５０における流れ方向の中心線ＣＬ上を通る。
【００３７】
このような直線状のスリット５２を設けることにより、図４に示すように、キャビティＲ１１から吸引用横孔Ｒ１２に至る、下穴Ｒ１３を通る空気の流れがよりスムーズに促される。換言すれば、キャビティＲ１１から吸引用横孔Ｒ１２までの管路抵抗が最小となるため、吸引による突起４の成形が何れの場所にあるキャビティＲ１１においても速やかに行われる。これにより、素材厚みのバラツキの原因とされるキャビティＲ１１間に発生する成形速度のバラツキが回避され、何れの箇所においても十分な強度を有する突起４が形成される。
【００３８】
そして同図に示すとおり、当該バキュームプラグ５を用いて製造された気泡シート１の突起４の頂部４０には、中心を通る直線状のバキューム跡４１が形成されている。またこの突起４の頂部４０には、バキューム跡４１の外側に概略環形状をなす略真円形線状模様４５が形成される。そしてこのバキューム跡４１は他端側が突起４の頂部４０における流れ方向の中心線ＣＬ上を通るとともに一端４２ａが略真円形線状模様４５から始まっている直線状のバキューム跡４２である。そして、この突起４の頂部４０では、直線状のバキューム跡４２の長さは、略真円形線状模様４５の半径Ｒ４５よりも長いという特徴がみられることになる。
【００３９】
以上のような構成とすることにより、本実施形態に係る気泡シート１は各突起４とも成形が速やかになされた状態で製造されている。そのため、成形スピードを速くした場合であっても、また突起４の容積が大きいものとした場合であっても、巾方向の位置に拘わらず高い緩衝力を有する気泡シート１となっている。
【００４０】
さらに、製造時の突起４の成形がより速やかに行われている気泡シート１に見られる特徴の一例として本実施形態では、バキューム跡４１が、突起４の頂部４０における流れ方向の中心線ＣＬ上を通っている態様を開示している。
【００４１】
加えて、突起４の成形が速やかに行われている気泡シート１に見られる他の特徴として本実施形態では、キャップフィルム３が、バキューム跡４１の外側に略真円形線状模様４５を有するものを開示している。すなわち当該略真円罫線上模様４５がバキューム跡４１と併せて形成されるという事は、本実施形態に係るバキュームプラグ５を使用しているという証左である。
【００４２】
特に、突起４成形時の真空吸引がよりスムーズに行われている気泡シート１に見られる特徴として本実施形態では、バキューム跡４１が１本以上の互いに交錯しない直線状のバキューム跡４２であり、その一端４２ａが略真円形線状模様４５から始まっている態様を開示している。
【００４３】
加えて本実施形態に係る気泡シート１は、直線状のバキューム跡４２の長さが、略真円形線状模様４５の半径Ｒ４５よりも長いことから、製造工程における突起４成形時の真空吸引がより確実に行われていることの証左であると考えられるため、突起４を構成する素材厚みのバラツキがより小さくなっている。
【００４４】
そして、本実施形態に係るバキュームプラグ５により、既存の気泡シート１製造用設備に大きな変更を来すことなく、製造工程における吸引時の管路抵抗を減らすことで、個々の突起４の成形スピードの向上を促して突起４の素材厚みすなわち強度のバラツキを無くすことで品質が高い気泡シート１の製造を実現している。加えて突起４の成形スピードを速めることで気泡シート１の成形スピードを速めて生産性を高めても突起４の素材厚みすなわち強度のバラツキを無くすことで品質が高い気泡シート１を提供することができる。
【００４５】
加えて、個々の突起４の成形スピードをより速めることにより気泡シート１の厚みのバラツキをより有効に抑え得るべく本実施形態では、プラグ本体５０の外周５５からプラグ本体５０の中心に向けて切り込まれた１本の直線状のスリット５２を設けている。これによりスリット５２を下穴Ｒ１３の真上まで達するバキューム孔５１とすることができ、下穴Ｒ１３による真空吸引時の管路抵抗を有効に減少させることができる。その結果、個々の突起４の成形スピードをより速めることにより気泡シート１の厚みのバラツキをより有効に抑えることができる。その結果実施形態によれば、全域に亘って高い緩衝性能を得ることができる気泡シート１を成形、提供することができる。
【００４６】
＜参考例＞
以下、本発明と類似の効果を奏する参考例について図６〜図８に示して説明する。ここで、これら図６以降に示す各構成について図１〜図５に示したものに相当するものに対しては同じ符号を付すとともにその詳細な説明を省略する。
【００４７】
図６に示すバキュームプラグ５は、キャビティＲ１１の底壁を構成するプラグ本体５０と、このプラグ本体５０に穿たれたバキューム孔５１とを備え、バキューム孔５１の少なくとも一部が当該プラグ本体５０の中心領域５ａに存在する点は上記図５のものと同様である。しかしながら同図に示すバキュームプラグ５はバキューム孔５１が外周５５とは離間し、中心領域５ａ内のみに穿たれた円形孔５３となっている。
【００４８】
そして同図に示すとおり、当該バキュームプラグ５を用いて製造された気泡シート１の突起４の頂部４０には、中心領域４ａ内に円形状のバキューム跡４３が形成される。またこの突起４の頂部４０には、バキューム跡４１の外側に概略環形状をなす略真円形線状模様４５が形成されている。
【００４９】
図７に示すバキュームプラグ５は、図６に示した円形孔５３に代えて、平面視矩形状をなす矩形孔５４としたものである。また当該バキュームプラグ５を用いて製造された気泡シート１の突起４の頂部４０には、中心領域４ａ内に矩形状のバキューム跡４４が形成される。またこの突起４の頂部４０には、バキューム跡４１の外側に概略環形状をなす略真円形線状模様４５が形成されている。
【００５０】
図８に示すバキュームプラグ５は、図６に示した円形孔５３に加えて、中心領域５ａよりも外側にさらに平面視円形状をなす端部円形孔Ｈ５３が穿たれたものである。また当該バキュームプラグ５を用いて製造された気泡シート１の突起４の頂部４０には、中心領域４ａ内に形成された円形状のバキューム跡４３の他、中心領域５ａ外に他のバキューム跡Ｈ４３が形成される。またこの突起４の頂部４０には、これらバキューム跡４３、Ｈ４３の外側に概略環形状をなす略真円形線状模様４５が形成されている。
【００５１】
上述したような各変形例に係る突起４を有した気泡シート１、及びバキュームプラグ５であっても、上記実施形態同様の効果を奏する。
【００５２】
以上、本発明の実施形態及び本発明と類似の効果を奏する参考例について説明したが、各部の具体的な構成は、上述した実施形態のみに限定されるものではなく、本発明の趣旨を逸脱しない範囲で種々変形が可能である。
【００５３】
ここで、上記実施形態では本発明に係る気泡シートとして、キャップフィルム及びバックフィルムからなる態様を開示しているが、本発明の特徴であるバキューム跡は、キャップフィルムのみに見られる特徴である。それ故、本発明に係るキャップフィルムは、気泡シートを構成し得るキャップフィルムであって、突起の頂部における中心を通るように形成された直線状のバキューム跡を有するキャップフィルム、とも解することができる。
【００５４】
そして、上記実施形態及び変形例ではバキュームプラグに設けたバキューム孔の各形状を開示したが勿論、これら形状が異なるバキュームプラグを一の真空成形ロールにおいて混在させてもよい。具体的には、真空排気装置からの距離が遠いキャビティ程、より大きなバキューム孔を有するバキュームプラグを配するといった態様が挙げられる。この場合成形される気泡シートには、巾方向でそれぞれ異なる形状のバキューム跡が形成されるものの、製品としては均質化され高い緩衝力を有した高品質なものが提供され得る。
【００５５】
さらに、実施形態及び変形例では、真空成形ロールが、吸引用横孔の両端を真空排気装置に接続し得るように構成したものであったが、これに限らず、吸引用横孔の一端のみを真空排気装置に接続し得るように構成したものであっても構わない。
【００５６】
またキャビティが平面視略多角形状のものである場合、当該キャビティの底壁を構成するバキュームプラグも、キャビティに嵌合する形状にすればよい。
【００５７】
また、外周面に多数個凹設されるキャビティの配置態様は、千鳥配置の他、千鳥配置を９０度傾けた逆千鳥配置、又は格子配置、或いは千鳥配置を１５〜４５度傾けた斜め配置等、種々のものであってもよい。
【００５８】
上記実施形態及び変形例では、ロール本体の周方向に沿って隣接する複数列のキャビティの各吸引孔が共通の吸引用横孔に連通する態様を例示したが、各列のキャビティの吸引孔がそれぞれ対応する一の吸引用横孔にそれぞれ連通する態様を採用しても構わない。
【００５９】
また、本発明に係る真空成形ロールを用いて製造される気泡シートは、キャップフィルムとバックフィルムとからなり、梱包材等として使用可能な二層状のものであったが勿論、キャップフィルムの表面側（各突起の頂部側）にさらにライナーフィルムを貼着し、自動車の内装材等として使用可能な三層状の中空板を製造する過程で成形される中間成形物であってもよい。
【００６０】
その他、各部の具体的構成についても上記実施形態に限られるものではなく、本発明の趣旨を逸脱しない範囲で種々変形が可能である。
【実施例】
【００６１】
これより本発明の実施例について図９、図１０及び図１１並びに表１及び表２を用いて説明する。なお本発明は当該実施例によってなんら限定されるものではない。
【００６２】
本実施例では、図１１に示すように、上記実施形態に係るバキュームプラグ５と、従来真空成形ロールに適用されていた比較用プラグＲ５とを同じ真空成形ロールＲに用い、以下に記す条件にて気泡シートを製造した。そしてバキュームプラグ５によって形成される突起４、並びに比較用プラグによって形成される突起について、図９に示すａ、ｂ、ｃ、ｄ、ｅといった５箇所の厚み寸法を計測し、その平均値及び標準偏差を算出した。
【００６３】
今回の実施例に係るバキュームプラグ５は、実施例１としては上記図５に示された態様のものを用い、実施例２としては上記図６に示された態様のものを用いた。これら各実施例に係るバキュームプラグ５の具体的な形状は上記実施形態及び変形例に記載しているためここでの説明を省略する。
【００６４】
比較用プラグＲ５は図１０に特に示すように、外周の形状は上記実施形態に係るバキュームプラグ５と同形状をなしているものの、中心領域Ｒ５ａ外にのみバキューム孔Ｒ５１が形成されたものである。比較例１は、互いに９０°の角度をなして直交する仮想の十文字線に沿いつつ、外周から中心領域Ｒ５ａに達しない位置まで延伸する４本のスリット状をなすバキューム孔Ｒ５１が穿たれたものである。比較例２は、実施例１との比較に重点を置いたものであり、外周から中心領域Ｒ５ａに達しない位置まで延伸する１本のスリット状をなすバキューム孔Ｒ５１が穿たれたものである。比較例３は、実施例２との比較に重点を置いたものであり、中心領域Ｒ５ａ外であり外周よりも内側の場所に穿たれた円形状をなすバキューム孔Ｒ５１が穿たれたものである。
【００６５】
今回は、気泡シートを成形する時期又は条件をそれぞれ異ならせ、表１及び表２に示す試験１及び試験２を行った。
【００６６】
＜試験方法及び設定条件＞
試験１及び試験２では、それぞれ時期を変えて、成形スピードを分速４０ｍに設定した冷却再加熱法により製造された気泡シートに対し、上記図５及び図６に係るバキュームプラグ５にて成形された突起４をそれぞれ実施例１及び実施例２、図１０に図示された比較用プラグＲ５によって成形された突起をそれぞれ比較例１、比較例２及び比較例３とし、図９に示した各箇所の厚み寸法を測定した。これら試験１及び試験２の結果をそれぞれ表１及び表２に示す。
【００６７】
【表１】
0006532281.tif 000002
【００６８】
【表２】
0006532281.tif 000003
＜試験結果＞
試験１及び試験２の結果である表１及び表２に示されるように、通常よりも成形スピードを上げたこれらの試験では、実施例１及び実施例２の標準偏差の方が比較例１、比較例２及び比較例３といった何れの比較例の標準偏差よりも、全ての測定場所において低いという結果が得られた。さらに時期を変えたこれら２回の試験においても同様の結果を得たということから、成形スピードを上げても緩衝力が高い気泡シートが得られるという本発明の効果は安定して得られることが分かった。
【産業上の利用可能性】
【００６９】
本発明は気泡シート及び当該気泡シートを製造する真空成形ロールに適用されるバキュームプラグとして利用することができる。
【符号の説明】
【００７０】
１…気泡シート
２…バックフィルム
３…キャップフィルム
４…突起
４０…頂部
４１…バキューム跡
４ａ…中心（中心領域）
ＣＬ…流れ方向の中心線（中心線）
４２…直線状のバキューム跡
４２ａ…一端
４５…略真円形線状模様
Ｒ…真空成形ロール
Ｒ１１…キャビティ
５…バキュームプラグ
５ａ…中心（中心領域）
５０…プラグ本体
５１…バキューム孔
５５…外周
５２…直線状のスリット
Ｌ４２…直線状のバキューム跡の長さ
Ｒ４５…略真円形線状模様の半径
Ｌ５２…直線状のスリットの長さ
Ｒ５０…プラグ本体の半径
【図１】
0006532281.tif 000004
【図２】
0006532281.tif 000005
【図３】
0006532281.tif 000006
【図４】
0006532281.tif 000007
【図５】
0006532281.tif 000008
【図６】
0006532281.tif 000009
【図７】
0006532281.tif 000010
【図８】
0006532281.tif 000011
【図９】
0006532281.tif 000012
【図１０】
0006532281.tif 000013
【図１１】
0006532281.tif 000014